(57)【要約】      （修正有）【課題】通常のぬり絵をした後、ぬり絵後のカードにライトを当て、塗られたキャラクターの影絵を映し出すことができるようにする。【解決手段】カード１を透明もしくは半透明の合成樹脂製とする。このカード１には、キャラクターＡの輪郭ａが印刷されている。ぬり絵後のカード１’を保持し得るスクリーン２を備えている。ぬり絵後の前記カード１’にライトを当て、前記スクリーン２を通して塗られたキャラクターＡ’の影絵Ａ”を映し出す。【選択図】図１
0003132100.tif 000002
【実用新案登録請求の範囲】
【請求項１】
透明もしくは半透明の合成樹脂製であって、キャラクターＡの輪郭ａを印刷したカード１と、ぬり絵後のカード１’を保持し得るスクリーン２とからなり、ぬり絵後の前記カード１’にライトを当て、前記スクリーン２を通して塗られたキャラクターＡ’の影絵Ａ”を映し出すように構成したことを特徴とする遊べるぬり絵。
【請求項２】
スクリーン２が容器Ｂの一部であり、容器Ｂの一部であるこのスクリーン２に、塗られたキャラクターＡ’を投影するための孔５が形成されていることを特徴とする請求項１記載の遊べるぬり絵。
【請求項３】
スクリーン２が容器Ｂの蓋ｂであり、この蓋ｂが表裏２枚になっていてその間に、ぬり絵後のカード１’を差し込み得るように構成されていることを特徴とする請求項２記載の遊べるぬり絵。
【請求項４】
ぬり絵後のカード１’を蓋ｂに対してスライドさせることができるようになっており、前記カード１’を蓋ｂに対してスライドさせることでイラストに動きを付与するように構成したことを特徴とする請求項３記載の遊べるぬり絵。
【請求項５】
蓋ｂが有底の身容器ｂ’に連接されており、この蓋ｂが前記身容器ｂ’の開口部を覆うことができるように構成されており、前記身容器ｂ’にキャラクターＡの輪郭ａを印刷したカード１を収納することを特徴とする請求項２〜４のいずれかに記載の遊べるぬり絵。
【請求項６】
蓋ｂの一部が有底の身容器ｂ’から切り離し得るように連接されており、この切り離し得る部分を切り離すことによって、容器Ｂを開けることができるように構成したことを特徴とする請求項５記載の遊べるぬり絵。
【考案の詳細な説明】
【技術分野】
【０００１】
本考案は、通常のぬり絵をすることができるほか、ぬり絵したカードにライトを当てることによって影絵を映し出して遊ぶことができる教材に関するものである。
【背景技術】
【０００２】
ぬり絵のためのキャラクターは、通常、用紙あるいはカードにその輪郭が印刷されていて、前記キャラクターにクレヨン、クレパス、サインペンなどの筆記具で単に色を塗るだけの遊びに過ぎなかった。
【考案の開示】
【考案が解決しようとする課題】
【０００３】
したがって、従来のぬり絵はそれ以外の遊びに発展させることはできず、ぬり絵だけで終わってしまうので、面白味に欠けるという欠点があった。
【０００４】
本考案は、通常のぬり絵をした後にさらに別の遊びができるように工夫したものであり、特に、通常のぬり絵をした後、ぬり絵後のカードにライトを当て、塗られたキャラクターの影絵を映し出すことができるように工夫したものである。
【課題を解決するための手段】
【０００５】
本考案による教材は、透明もしくは半透明の合成樹脂製であって、キャラクターＡの輪郭ａを印刷したカード１と、ぬり絵後のカード１’を保持し得るスクリーン２とからなり、ぬり絵後の前記カード１’にライトを当て、前記スクリーン２を通して塗られたキャラクターＡ’の影絵Ａ”を映し出すように構成したことを特徴とするものである。  本考案によれば、通常のぬり絵をした後にさらに別の遊び、いわゆる幻燈のように、ぬり絵後のカード１’にライトを当て、塗られたキャラクターＡ’の影絵Ａ”を映し出すことができる。今までにない新しい発想のぬり絵である。
【０００６】
スクリーン２が容器Ｂの一部であり、容器Ｂの一部であるこのスクリーン２に、塗られたキャラクターＡ’を投影するための孔５が形成されていることが望ましい。
このようになっていると、容器Ｂの一部であるスクリーン２を起こしてぬり絵後のカード１’をそれに沿わせることにより、スクリーン２の孔５を介して塗られたキャラクターＡ’を投影でき、その影絵Ａ”を楽しめる。
【０００７】
スクリーン２が容器Ｂの蓋ｂであり、この蓋ｂが表裏２枚になっていてその間に、ぬり絵後のカード１’を差し込み得るように構成されていることが望ましい。
このようになっていると、表裏２枚の蓋ｂを起こすだけでスクリーン２が完成し、ぬり絵後のカード１’をその間に差し込むだけでぬり絵後のカード１’をスクリーン２に保持できるので、塗られたキャラクターＡ’を投影するのに極めて便利である。
【０００８】
ぬり絵後のカード１’を蓋ｂに対してスライドさせることができるようになっており、前記カード１’を蓋ｂに対してスライドさせることでイラストに動きを付与するように構成することが望ましい。
このようになっていると、ぬり絵後のカード１’を蓋ｂに対してスライドさせることでイラストに動きが付与され、動くイラストを楽しむことができる。
【０００９】
蓋ｂが有底の身容器ｂ’に連接されており、この蓋ｂが前記身容器ｂ’の開口部を覆うことができるように構成されており、前記身容器ｂ’にキャラクターＡの輪郭ａを印刷したカード１を収納することが望ましい。
このようになっていると、ぬり絵前のカード１を有底の身容器ｂ’に収納することができ、この身容器ｂ’に連接されている蓋ｂを閉じることにより、ぬり絵前のカード１を容器で包装した形態にできるので、ぬり絵用のカード１の販売に極めて便利である。
【００１０】
蓋ｂの一部が有底の身容器ｂ’から切り離し得るように連接されており、この切り離し得る部分を切り離すことによって、容器Ｂを開けることができるように構成することが望ましい。
このようになっていると、有底の身容器ｂ’から蓋ｂの一部を切り離すまでは、ぬり絵前のカード１が容器で包装された販売形態が維持され、身容器ｂ’から蓋ｂの一部を切り離すことにより、包装容器を開けることができるのみならず、スクリーン２を極めて簡単に完成させることができる。
【考案の効果】
【００１１】
請求項１記載の遊べるぬり絵によれば、通常のぬり絵をした後、ぬり絵後のカード１’にライトを当て、塗られたキャラクターの影絵を映し出すという別の遊びができる面白さがある。今までにない新しい発想のぬり絵である。
【００１２】
請求項２記載の遊べるぬり絵によれば、容器Ｂの一部であるスクリーン２を起こしてぬり絵後のカード１’をそれに沿わせることにより、スクリーン２の孔５を介して塗られたキャラクターＡ’を投影でき、その影絵Ａ”を楽しめる。
【００１３】
請求項３記載の遊べるぬり絵によれば、表裏２枚の蓋ｂを起こすだけでスクリーン２が完成し、ぬり絵後のカード１’をその間に差し込むだけでカード１’をスクリーン２に保持できるので、塗られたキャラクターＡ’を投影するのに極めて便利である。
【００１４】
請求項４記載の遊べるぬり絵によれば、ぬり絵後のカード１’を蓋ｂに対してスライドさせることでイラストに動きが付与され、動くイラストを楽しむことができるので、面白さが増大する。
【００１５】
請求項５記載の遊べるぬり絵によれば、ぬり絵前のカード１を有底の身容器ｂ’に収納することができ、この身容器ｂ’に連接されている蓋ｂを閉じることにより、ぬり絵前のカード１を容器で包装した形態にできるので、ぬり絵用のカード１の販売に極めて便利である。
【００１６】
請求項６記載の遊べるぬり絵によれば、有底の身容器ｂ’から蓋ｂの一部を切り離すまでは、ぬり絵前のカード１が容器で包装された販売形態が維持され、身容器ｂ’から蓋ｂの一部を切り離すことにより、包装容器を開けることができるのみならず、スクリーン２を極めて簡単に完成させることができる。
【考案を実施するための最良の形態】
【００１７】
本考案による遊べるぬり絵の一例を、図面に基いて詳細に説明する。
ここに示す遊べるぬり絵は、透明もしくは半透明の合成樹脂製であって、キャラクターＡの輪郭ａを印刷したカード１（図１(b)の右側に示す）と、ぬり絵後のカード１’を保持し得るスクリーン２（図１(b)の左側に一部現れている）とからなっている。
図１(b)の右側に示すカード１は、描かれたキャラクターＡを投影できるような透明もしくは半透明であり、例えば、塩化ビニル、ペットフィルムその他各種の合成樹脂製とすることができる。キャラクターＡの輪郭ａが印刷されたカード１は、通常の遊びであるぬり絵ができる。様々な色の水性あるいは油性の筆記具３を用いた方が合成樹脂製のカード１に色が定着しやすいので、ぬり絵には適している。
【００１８】
スクリーン２はぬり絵後の前記カード１’を保持し得るものであればよい。ぬり絵後のカード１’がスクリーン２に単にもたれ掛かるようにするだけでも、カード１’を保持し得る状態であるということができる。スクリーン２に対して倒れないように、例えば、図１(d)に示すように、強固に保持しておくことがより一層好ましい。
【００１９】
図１(e)に示すように、ぬり絵後の前記カード１’に懐中電灯その他各種の投光器４からのライトを当てることにより、前記スクリーン２を通して塗られたキャラクターＡ’の影絵Ａ”を映し出すことができる。したがって、ぬり絵後に塗られたキャラクターＡ’の影絵Ａ”を映し出すという別の遊びができる。今までにない新しい発想のぬり絵である。３歳位の幼児から小学生低学年の児童をターゲットにした場合には、最適な教材になると思われる。
【００２０】
ここには、スクリーン２が容器Ｂの一部であり、容器Ｂの一部であるこのスクリーン２に、塗られたキャラクターＡ’を投影するための孔５が形成されている場合が例示されている。したがって、容器Ｂの一部であるスクリーン２を起こしてぬり絵後のカード１’をそれに沿わせることにより、スクリーン２の孔５を介して塗られたキャラクターＡ’を投影でき、その影絵Ａ”を楽しめる。
【００２１】
また、ここでは、図１(b)に示すように、スクリーン２が容器Ｂの蓋ｂであり、この蓋ｂが図１(d)に示すように表裏２枚になっていてその間に、ぬり絵後のカード１’を差し込み得るように構成されている場合が例示されている。したがって、図１(b)において実線の矢印で示すように、表裏２枚の蓋ｂを起こすだけでスクリーン２が完成し、図１(d)に示すように、ぬり絵後のカード１’をその間に差し込むだけでカード１’をスクリーン２に保持できるので、塗られたキャラクターＡ’を投影するのに極めて便利である。
【００２２】
また、ここでは、図２に示すように、ぬり絵後のカード１’を蓋ｂに対してスライドさせることができるようになっており、前記カード１’を蓋ｂに対してスライドさせることでイラストに動きを付与するように構成されている場合が例示されている。したがって、ぬり絵後のカード１’を蓋ｂに対してスライドさせることでイラストに動きが付与され、動くイラストを楽しむことができる。
【００２３】
図１(d)では、方形状の蓋ｂの上側に切込2aを入れてぬり絵後のカード１’を蓋ｂの上側から差し込んでスクリーン２に保持させるようにしたが、ぬり絵後のカード１’を蓋ｂに対してスライドさせ得るようにするためには、例えば図２に示すように、方形状の蓋ｂの対向する部分に切込2b，2b’を入れ、一方の切込2bからぬり絵後のカード１’を差し込んでもう一方の切込2b’から抜くようにすればよい。蓋ｂをこのように構成することにより、ぬり絵後のカード１’を蓋ｂに対して容易にスライドさせることができる。
【００２４】
また、図３に示すように、カードを長めのロール状のフィルム１”とすると、このフィルム１”を蓋ｂに対してゆっくりスライドさせることで、キャラクターを順番にスクリーン２上に描写して行くことができ、一連のストーリーを楽しむことができる。
【００２５】
さらに、ここでは、蓋ｂが有底の身容器ｂ’に連接されており、この蓋ｂが前記身容器ｂ’の開口部を覆うことができるように構成されており、前記身容器ｂ’にキャラクターＡの輪郭ａを印刷したカード１を収納する場合が例示されている。したがって、図１(b)の左側に示すように、ぬり絵前のカード１を有底の身容器ｂ’に収納することができ、この身容器ｂ’に連接されている蓋ｂを閉じれば、ぬり絵前のカード１を容器で包装した形態にできるので、ぬり絵用のカード１の販売に極めて便利である。様々なキャラクターが描かれた複数枚のカード１，１を有底の身容器ｂ’に入れて販売することができる。
なお、ぬり絵する場合には、身容器ｂ’に収納されているカード１を、図１(b)において破線の矢印で示すように、身容器ｂ’から取り出し、好きな色でキャラクターＡを塗ればよい。
【００２６】
以上のようにぬり絵と影絵遊びができるようにするためには、蓋ｂおよび身容器ｂ’を紙あるいはダンボール製とするのが一般的であるが、必ずしもその材質に限定されるものではなく、合成樹脂製や木製など各種の材質を適宜選択採用することができる。
【００２７】
さらに、ここには、蓋ｂの一部が有底の身容器ｂ’から切り離し得るように連接されており、この切り離し得る部分を切り離すことによって、容器Ｂを開けることができるように構成する場合が例示されている。したがって、有底の身容器ｂ’から蓋ｂの一部を切り離すまでは、ぬり絵前のカード１が容器で包装された販売形態が維持され、身容器ｂ’から蓋ｂの一部を切り離すことにより、包装容器を開けることができるのみならず、スクリーン２を極めて簡単に完成させることができる。
【００２８】
蓋ｂの一部を有底の身容器ｂ’から切り離すことができるようにするためには、蓋ｂと身容器ｂ’とを紙あるいはダンボール製とし、それらが方形状の場合には、例えばそのうちの一辺を除く他の三辺にミシン目線６（図１(a)に示す）を形成しておけばよい。ミシン目線６部分を切り離せば、蓋ｂを図１(b)において実線の矢印で示すように起こし、それをスクリーン２とすることができる。
【００２９】
また、蓋ｂおよび身容器ｂ’を紙あるいはダンボール製とした場合には、スクリーン２に塗られたキャラクターＡ’を投影するための孔５もミシン目線で形成することができるので、図１(a)に示すように、孔５が塞がれたままで販売することができ、必要に応じて前記ミシン目線から切り離して塗られたキャラクターＡ’を投影できる孔５を形成すればよい。
【００３０】
スクリーン２が容器Ｂの一部であり、容器Ｂの一部であるこのスクリーン２に塗られたキャラクターＡ’を投影するための孔５が形成されている場合には、例えば、図１(e)に示すように、容器Ｂの外側に投光器４を置いてスクリーン２に保持されたぬり絵後のカード１’にライトを当ててもよいし、容器Ｂの内側に投光器４を保持し得る機構を別途備え、そこに投光器４をセットしてそこからライトを当ててもよい。
【００３１】
カード１に描かれるキャラクターＡはここに例示したもののみに限られることはなく、様々な題材を選択採用することができる。
【図面の簡単な説明】
【００３２】
【図１】本考案による遊べるぬり絵の一例を示す斜視図で、(a)は販売時の未開封状態を、(b)は容器の一部である蓋を開けた状態と、身容器に収納されている数枚のカードのうちの１枚を取り出した状態を、(c)は描かれたキャラクターにぬり絵している状態を、(d)はぬり絵後のカードをスクリーンである表裏２枚の蓋の間に保持する状態を、(e)はスクリーンにぬり絵後のカードを保持し、このカードにライトを当てて塗られたキャラクターの影絵を映し出す状態を示す。
【図２】ぬり絵後のカードを蓋に対してスライドさせることができるようになっており、前記カードを蓋に対してスライドさせることでイラストに動きを付与するように構成されている場合の一例を示す斜視図である。
【図３】カードを長めのロール状のフィルムとし、このフィルムを蓋に対してスライドさせることができるようにした場合の一例を示す斜視図である。
【符号の説明】
【００３３】
１…カード、１’…ぬり絵後のカード、２…スクリーン、３…筆記具、４…投光器、５…孔、Ａ…キャラクター、ａ…輪郭、Ａ’…塗られたキャラクター、Ａ”…影絵、Ｂ…容器、ｂ…蓋、ｂ’…身容器。
【図１】
0003132100.tif 000003
【図２】
0003132100.tif 000004
【図３】
0003132100.tif 000005